(57)【要約】      （修正有）【課題】二輪車を輸送する際に、破損したり傷が付いたりすることを防止するとともに、より多くの二輪車を輸送することができる二輪車用車体カバーを提供する。【解決手段】二輪車用車体カバー１を被覆させて二輪車を輸送させるときに二輪車の車輪の回転軸１５ａ，１５ｂの上部から略上端部の箇所に備えられ、気体が注入される気体注入袋６と、気体注入袋に気体を注入するための注入口７と、を有する。また二輪車のサドル１１を外部に出すためのサドル窓５が形成されている。注入口７は、二輪車の前方部と後方部にそれぞれ設けられているのが好ましい。【選択図】図５
0003189422.tif 000002
【実用新案登録請求の範囲】
【請求項１】
自転車又はバイク等の二輪車の輸送の際に用いる二輪車用車体カバーであって、
該二輪車用車体カバーを被覆させて前記二輪車を輸送させるときに該二輪車の車輪の回転軸上部から該車輪の略上端部の箇所に備えられ、気体が注入される気体注入袋と、
該気体注入袋に気体を注入するための注入口と、を有し、
前記気体注入袋は、二輪車を輸送の際に隣合う二輪車が破損したり傷が付いたりすることを防止する二輪車用車体カバー。
【請求項２】
前記二輪車に被覆させた状態で、該二輪車のサドルを外部に出すためのサドル窓が形成されていることを特徴とする請求項１記載の二輪車用車体カバー。
【請求項３】
前記注入口は、前記二輪車に被覆させた状態で、該二輪車の前方部と後方部にそれぞれ設けられていることを特徴とする請求項１記載の二輪車用車体カバー。
【考案の詳細な説明】
【技術分野】
【０００１】
本考案は、二輪車を輸送する際に用いる二輪車用車体カバーに関する。
【背景技術】
【０００２】
従来から、二輪車を輸送する際に用いる二輪車用車体カバーが知られている。
【０００３】
この種の二輪車用車体カバー（自転車梱包箱）として、車輪と車輪以外の部品であるフレーム部品をそれぞれの側面側から段ボールなどの梱包材で包み込み、そして、車輪とフレーム部品が梱包材に包み込まれた梱包物に対して、梱包物の両側面側および底面側を通過するように巻回して結束ベルトで結束し、その梱包物を上面の開口から略直方体状の梱包箱本体に挿入し、梱包箱本体の上面開口を上蓋で塞いて、自転車を輸送するというものがあった（たとえば、特許文献１）。
【０００４】
また、ビニールなどを材質し、車輪と車輪以外の部品であるフレーム部品をそれぞれ収納する空間を有する輸行袋の側面と内部に空気等のガスを封入して輸行袋を膨らませ、輸行時に自転車が破損したり傷が付いたりすることを防止するというものもあった（たとえば、特許文献２）
【先行技術文献】
【特許文献】
【０００５】
【特許文献１】実用新案登録第３１８０９５６号公報
【特許文献２】特開２００８−２０１３９４号公報
【考案の概要】
【考案が解決しようとする課題】
【０００６】
しかしながら、上述した従来の自転車梱包箱では、段ボールなどの梱包材で車輪と車輪以外の部品であるフレーム部品を包み込んでいるが、車輪と車輪以外の部品であるフレーム部品を分解せずに自転車一体として移動させる場合、自転車が段ボールなどの梱包材で包み込まれているため自転車と梱包材の間に不要な空間が多く発生することになる。このように、自転車と梱包材の間に不要な空間が多く発生すると、トラックを用いて複数の自転車を輸送させるときには、トラック１台が輸送できる自転車の台数が少なくなり、自転車の輸送効率が悪くなるという問題が生じていた。
【０００７】
また、上述した従来の輸行袋は、側面と内部に空気等のガスを封入して輸行袋を膨らませ、輸行時に自転車が破損したり傷が付いたりすることを防止することができるものであるが、自転車フレームと車輪を分解して入れた輸行袋の側面と内部の全体的に空気等のガスを封入しているため、車輪と自転車フレームを分解せずに自転車一体として移動させる場合には、輸行袋自体が大きくなり、上記と同様、複数の自転車を輸送させるときに自転車の輸送効率が悪くなるという問題が生じる。
【０００８】
本考案は、上記問題点に鑑みてなされたもので、二輪車を輸送する際に、二輪車が破損したり傷が付いたりすることを防止するとともに、より多くの二輪車を輸送することができるようにした二輪車用車体カバーを提供することを目的とする。
【課題を解決するための手段】
【０００９】
上記課題を解決し上記目的を達成するために、本考案のうち第１の態様に係るものは、  自転車又はバイク等の二輪車の輸送の際に用いる二輪車用車体カバーであって、二輪車用車体カバーを被覆させて二輪車を輸送させるときに二輪車の車輪の回転軸上部から略上端部の箇所に備えられ、気体が注入される気体注入袋と、気体注入袋に気体を注入するための注入口と、を有し、気体注入袋は、二輪車を輸送の際に隣合う二輪車が破損したり傷が付いたりすることを防止するものである。
【００１０】
本考案によれば、二輪車用車体カバーを被覆させて二輪車を輸送させるときに、二輪車の車輪の回転軸上部から略上端部の箇所に備えられた気体注入袋により、二輪車を輸送の際に隣合う二輪車との間に圧縮気体が介されるので、二輪車が破損したり傷が付いたりすることを防止することができる。また、複数の二輪車を並べて輸送する際にも、気体注入袋が二輪車の車輪の回転軸上部から略上端部の箇所に配されているので、気体注入袋が隣合う二輪車間の隙間に位置することになり気体注入袋により横幅を取ることなく、トラックなどの輸送機関により多くの二輪車を搭載させることができるとともに、隣合う二輪車の二輪車用車輪カバーの気体注入袋同士が接触することにより、輸送中に生じる二輪車間の振動が少なくなり、振動により生じる傷から二輪車を保護することができる。また、梱包材で包み込んで二輪車を輸送させる方法では、輸送機関により輸送された後は、梱包材を二輪車から取り外し、梱包材が取り外された状態で二輪車を移動させるとともに、取り外された梱包材は廃棄させていたが、本考案によれば、梱包材を二輪車から取り外す必要がなく、二輪車用車輪カバーで覆われた状態で二輪車を移動させることができる。また、一度使用した気体注入袋が備えられた二輪車用車輪カバーを繰り返し使用できるので経済的であるとともに、梱包材を二輪車から取り外すための人件費の削減、気体注入袋に気体を入れるだけなので装着時間も削減させることができる。
【００１１】
本考案のうち第２の態様に係るものは、第１の態様に係る二輪車用車体カバーであって、二輪車に被覆させた状態で、二輪車のサドルを外部に出すためのサドル窓が形成されていることを特徴とするものである。
【００１２】
本考案によれば、二輪車のサドルを外部に出すためのサドル窓が形成されているので、輸送機関に積み込む際および輸送機関から降ろす際などに、サドル窓から出たサドルを持って、二輪車を移動させることができ、二輪車の移動を容易にすることができる。
【００１３】
本考案のうち第３の態様に係るものは、第１の態様に係る二輪車用車体カバーであって、注入口は、二輪車に被覆させた状態で、二輪車の前方部と後方部にそれぞれ設けられていることを特徴とするものである。
【００１４】
二輪車は前方部の横幅が大きく後方部の横幅が小さいので、隣合う複数の二輪車をそれぞれ前後逆方向に相互に並べるとコンパクトになり、より多くの二輪車を輸送機関に搭載できる。本考案によれば、二輪車用車体カバーを二輪車に被覆させた状態で、注入口が二輪車の前方部と後方部にそれぞれ設けられているので、複数の二輪車を前後逆方向に相互に並べた場合でも、二輪車の前方部または後方部の一方向から気体を気体注入袋に注入することができる。
【考案の効果】
【００１５】
本考案の二輪車用車体カバーによれば、気体注入袋が二輪車の車輪の回転軸上部から略上端部の箇所に設けられているので、二輪車を輸送する際に、二輪車が破損したり傷が付いたりすることを防止できるとともに、より多くの二輪車を輸送することができる。
【図面の簡単な説明】
【００１６】
【図１】（ａ）本考案の一実施形態における二輪車用車体カバーの前方斜視図である。            （ｂ）同二輪車用車体カバーの後方斜視図である。
【図２】同二輪車用車体カバーの平面分解図である。
【図３】（ａ）同二輪車用車体カバーの右側面袋シートの分解図である。            （ｂ）同右側面袋シートを示す図である。            （ｃ）同右側面袋シートの注入排気部の拡大図である。
【図４】本考案の一実施形態における二輪車用車体カバーの組立図である。
【図５】同二輪車用車体カバーを取り付けた自転車を示す前方斜視図である。
【図６】同二輪車用車体カバーを取り付けた自転車を前後相互逆方向に並べた状態の上面図である。
【図７】同二輪車用車体カバーを取り付けた自転車を前後相互逆方向に並べた状態の正面図である。
【図８】同二輪車用車体カバーを取り付けた自転車を示す側面図である。
【図９】本考案の一実施形態における二輪車の輸送工程を示す図である。
【図１０】トラックに積み込んだ二輪車用車体カバーを取り付けた自転車を示す図である。
【考案を実施するための形態】
【００１７】
以下、本考案にかかる二輪車用車体カバーの一実施形態について図面を参照にしながら説明する。ここで、図１（ａ）は本考案の一実施形態における二輪車用車体カバーの前方斜視図であり、図１（ｂ）は同二輪車用車体カバーの後方斜視図であり、図２は同二輪車用車体カバーの平面分解図である。図３（ａ）は同二輪車用車体カバーの右側面袋シートの分解図であり、図３（ｂ）は同右側面袋シートを示す図であり、図３（ｃ）は同右側面袋シートの注入排気部の拡大図であり、図４は本考案の一実施形態における二輪車用車体カバーの組立図である。なお、図３は、右側面袋シート４ａについての説明であるが、左側面袋シート３ａについては、図１および図３を参照にすることにより容易に理解できるので、左側面袋シート３ａの図面は省略する。
【００１８】
二輪車用車体カバー１は、自転車の輸送の際に自転車の上部から被覆させて用いられるカバーである。ここで、図１は、説明の便宜上、二輪車用車体カバー１の内部を広げた状態で表示させている。なお、本実施形態では、二輪車用車体カバー１を自転車のカバーとして説明するが、自転車のカバーに限らず、バイク等の二輪車のカバーとして用いられるものでもよい。
【００１９】
二輪車用車体カバー１は、自転車の幅、全長等に対応した形状で形成されている。なお、二輪車用車体カバー１を自転車以外の二輪車に用いる場合には、二輪車用車体カバー１は、その二輪車に対応した形状で形成される。
【００２０】
二輪車用車体カバー１は、上面シート２、左側面シート３、および右側面シート４の３枚のシートの各辺同士を縫合することによって構成されている。
【００２１】
上面シート２は、ナイロンを材質とし、上面シート２の上部２ａは、前方の横幅が大きく、後方に向かうにつれ横幅が小さくなるように形状されている。上面シート２の上部２ａには、二輪車用車体カバー１を自転車に被覆させた状態で自転車のサドルが位置するところにサドル窓５が形成されている。このサドル窓５は、自転車のサドルを外部に出すためのもので、サドル窓５の周囲はサドル窓バイアステープ５ａで補強されている。
【００２２】
左側面シート３および右側面シート４は、それぞれ上面シート２の下部に縫合されている。具体的には、左側面シート３および右側面シート４は、上面シート２の前方部２ｂ、および側方部２ｃの下部にそれぞれ縫合されている。また、左側面シート３は左側面袋シート３ａと左側面下部シート３ｂから構成され、右側面シート４は右側面袋シート４ａと右側面下部シート４ｂから構成されている。そして、側面袋シート（左側面袋シート３ａ、右側面袋シート４ａ）は、側面下部シート（左側面下部シート３ｂ、右側面下部シート４ｂ）とそれぞれ縫合されている。左側面シート３および右側面シート４の後方部は、縫合され閉じられているが、左側面シート３および右側面シート４の前方部は、縫合されておらず、前方から見ると中央でそれぞれ左右に分離している。
【００２３】
左側面袋シート３ａおよび右側面袋シート４ａは、内部に空気が注入される気体注入袋６と、その気体注入袋６の外側を覆うナイロンで生成されている。気体注入袋６は、２枚の塩化ビニルシートの周辺を高周波ウェルダー溶着して形成される。そして、気体注入袋６の外側は、気体注入袋６の長手方向を気体注入袋６より少し長くしたナイロンで覆われ、気体注入袋６の周辺およびナイロンの周辺を接着剤で接着させている。気体注入袋６には、注入口７および排出口８が設けられ、この注入口７から気体注入袋６内に空気が注入され、排出口８から気体注入袋６外に空気を排出することができる（図３参照）。また、注入口７および排出口８は、左側面シート３および右側面シート４のそれぞれの前方側および後方側に設けられている。ここで、本実施形態では、注入口７と排出口８を設けたが、これに限らず、注入口と排出口を１つで行う注入排出口を設けてもよい。このように注入排出口が設けられた場合は、注入排出口が気体注入袋６に空気を注入するための注入口７を兼ねていることから  注入口７は注入排出口になる。また、図３（ｃ）に示すように、排出口８は注入口７より大きく形状されている。このように、排出口８が注入口７より大きく形状されているので、気体注入袋６内の空気を早期に排出させることができる。なお、本実施形態では、注入口７および排出口８にキャップを嵌め込み、気体注入袋６内部の空気が外部に排出しないようにしているが、これに限らず、他のバルブなどを設けて、気体注入袋６内部の空気が外部に排出しないようにしてもよい。
【００２４】
そして、上述したように、左側面シート３および右側面シート４を上面シート２の下部に縫合することにより、二輪車用車体カバー１を製造することができる（図４参照）。なお、重ね合わせたシートの縁の縫合箇所には、重ね合わせたシートの縁を補強するためにバイアステープを取り付けている。
【００２５】
次に、二輪車用車体カバー１を自転車に被覆させた状態について説明する。ここで、図５は本考案の一実施形態における二輪車用車体カバーを取り付けた自転車を示す前方斜視図であり、図６は同二輪車用車体カバーを取り付けた自転車を前後相互逆方向に並べた状態の上面図であり、図７は同二輪車用車体カバーを取り付けた自転車を前後相互逆方向に並べた状態の正面図であり、図８は同二輪車用車体カバーを取り付けた自転車を示す側面図である。ここで、図７では、説明の便宜上、左側面袋シート３ａおよび右側面袋シート４ａの塩化ビニルシートおよびナイロンの厚さを大きくして表示し、また、図８では、二輪車用車体カバー１内の自転車１０を表示できるように、二輪車用車体カバー１は奥側半分のみ表示している。
【００２６】
自転車１０のサドル１１は、上述したように、二輪車用車体カバー１を自転車１０に被覆させた状態で、二輪車用車体カバー１のサドル窓５から外部に出されている。これにより、トラックに積み込む際やトラックから降ろす際などに、サドル窓５から出た自転車１０のサドル１１を持って、自転車１０を移動させることができ、自転車１０の移動を容易にすることができる。また、自転車１０の前車輪１２ａは、二輪車用車体カバー１を自転車１０に被覆させた状態で、左側面シート３と右側面シート４の前方部の隙間（縫合されていない箇所）から少し外部に出ている。ここで、自転車１０に二輪車用車体カバー１を被覆させる際にはペダルは取り外され、またハンドル１３の一方の端部が前方のかご１４の中に入るようにハンドル１３を回転させている。
【００２７】
図６および図７に示すように、二輪車用車体カバー１により自転車１０を被覆させ、隣の自転車１０の荷台１６が自転車１０のかご１４の下に入るようにして隣合う自転車１０をそれぞれ前後逆方向に並べた状態で、二輪車用車体カバー１の左右に備えられた気体注入袋６に空気が注入されると、気体注入袋６が自転車１０と接触し、二輪車用車体カバー１の気体注入袋６が自転車１０間の済間で膨らみ側方方向に広がる。これにより、気体注入袋６が自転車１０間の済間で膨らむことから横幅を大きく取らず、より多くの自転車１０をトラックに搭載することができるとともに、気体注入袋６により二輪車用車体カバー１の側方のものから自転車１０が傷付かないように保護される。なお、本実施形態では、隣合う自転車１０をそれぞれ前後逆方向に相互に並べているが、これに限らず、隣合う自転車１０をそれぞれ前後同じ方向にして並べるようにしてもよい。
【００２８】
気体注入袋６は、上述したように、自転車１０に二輪車用車体カバー１を被覆させた状態で、自転車１０の車輪１２（前車輪１２ａ、後車輪１２ｂ）の回転軸１５（前回転軸１５ａ、後回転軸１５ｂ）上部から車輪１２（前車輪１２ａ、後車輪１２ｂ）の略上端部の箇所に備えられている（図８参照）。このように、二輪車用車体カバー１の気体注入袋６が自転車１０の車輪１２の回転軸１５上部に備えられているので、自転車１０の車輪１２の回転軸１５が気体注入袋６と接触することにより、気体注入袋６が破損することを防止することができる。なお、本実施形態の二輪車用車体カバー１が備えられている自転車１０の車輪１２の略上端部とは、自転車１０の前車輪１３ａの上部にかご１４が取り付けられている場合はそのかご１４の下部で、かつ自転車１０の後車輪１３ｂの上部に荷台１６が取り付けられている場合は、その荷台１６の下部のことであるが、これに限らず、自転車１０の前車輪１２ａの上部にかご１４が取り付けられている場合のそのかご１４の下部側面の高さまで含んでもよい。また、気体注入袋６の下端は、自転車１０の前車輪１２ａの回転軸１５ａの前方から後方に向かうにつれ上方向に形成されている。気体注入袋６には、上述したように、注入口７および排出口８が設けられ、この注入口７から気体注入袋６内に空気が注入され、排出口８から気体注入袋６外に空気を排出することができる（図３参照）。また、注入口７および排出口８は、左側面シート３および右側面シート４のそれぞれの前方側および後方側に設けられている。
【００２９】
次に、二輪車用車体カバー１を用いて自転車を輸送する輸送手順について図９および図１０を参照にしながら説明する。ここで、図９は本考案の一実施形態における二輪車の輸送工程を示す図であり、図１０はトラックに積み込んだ二輪車用車体カバーを取り付けた自転車を示す図である。本実施形態では、トラックを用いて自転車を輸送しているが、これに限らず、自転車を輸送する輸送機関として飛行機や船などを用いてもよい。
【００３０】
まず、Ｓ1において、自転車１０の上部から二輪車用車体カバー１を被せ、サドル１１を二輪車用車体カバー１のサドル窓５から外部に出し、自転車１０が二輪車用車体カバー１により被覆される（二輪車被覆工程）。ここで、自転車１０に二輪車用車体カバー１を被せる際には、上述したように、ペダルは取り外され、またハンドル１３の一方の端部が前方のかご１４の中に入るようにハンドル１３を回転させている。二輪車被覆工程が終了した後は、Ｓ２に進む。
【００３１】
Ｓ２において、二輪車用車体カバー１により被覆された自転車１０をトラック１７のトラック荷台１８に積み込む（二輪車積込工程）。ここで、ドラック１７に積み込まれた自転車１０は、隣合う自転車１０を前後逆方向に相互に並べて、トラック１０に積み込まれている（図１０参照）。その積み込まれる際には、一方の自転車１０のかご１４の下に他方の自転車１０の荷台１６を入り込ませている。このように、複数の自転車１０を前後逆方向に相互に並べてトラック１７に積み込むとコンパクトになり、より多くの自転車１０をトラック１７に搭載することができる。また、本実施形態の注入口７は、二輪車用車体カバー１により自転車１０が被覆された状態で、自転車１０の前方部と後方部にそれぞれ設けられているので、複数の自転車１０を前後逆方向に相互に並べた場合でも、自転車１０の前方部または後方部の一方向から気体を気体注入袋６に容易に注入することができる。ここで、前後逆方向に相互に並べるとは、自転車１０の側面側に複数並べた状態で、その隣合う自転車１０の向きが前後逆方向になっていることである。二輪車積込工程では、自転車１０はトラック１７のトラック荷台１８に横方向に列を形成させながら積み込まれている。そして、二輪車積込工程が終了した後は、Ｓ３に進む。
【００３２】
Ｓ３において、トラック１７に搭載された自転車１０を被覆している二輪車用車体カバー１の気体注入袋６に空気を注入させる（気体注入工程）。具体的には、空気ボンベのホースの先端を注入口７に接触させて、空気ボンベから気体注入袋６に空気が注入される（図示略）。ここで、気体注入袋６は、自転車１０の車輪１２の回転軸１５上部から自転車１０の車輪１２の略上端部の箇所に配されているので、気体注入袋６に空気を注入した場合でも気体空気袋６がそれぞれ隣合う自転車１０の間の隙間に入り込むので、自転車配置スペースが大きくならず、トラック１７により多くの自転車１０を搭載させることができる。気体注入工程が終了した後は、Ｓ４に進む。なお、本実施形態では、気体注入袋６に空気を注入したが、これに限らず、空気以外の気体を注入してもよい。また、本実施形態では、二輪車積込工程が終了した後に気体注入工程を実施しているが、これに限らず、二輪車積込工程を実施しながら気体注入工程を実施してもよい。
【００３３】
Ｓ４において、二輪車用車体カバー１により被覆された自転車１０がトラック１７により目的地に輸送される（二輪車輸送工程）。このように、気体注入袋６に空気が注入された状態で自転車１０を輸送させることにより、気体注入袋６がクッションになって自転車１０が破損したり傷が付いたりすることを防止することができる。また、自転車１０を覆っている二輪車用車輪カバー１の気体注入袋６同士が接触することにより、輸送中に生じる自転車１０間の振動が少なくなり、振動により生じる傷から自転車１０を保護することができる。二輪車輸送工程が終了した後は、Ｓ５に進む。
【００３４】
Ｓ５において、自転車１０を搭載したトラック１７が目的地に到着した後に、トラック１７に搭載された自転車１０を被覆している二輪車用車体カバー１の気体注入袋６から空気を排出させる（気体排出工程）。具体的には、排出口８を開放させることにより、気体注入袋６から空気を排出する。そして、気体排出工程が終了した後はＳ６に進む。
【００３５】
Ｓ６において、二輪車用車体カバー１により被覆された自転車１０をトラック１７から降ろす（二輪車積降工程）。このように、本実施形態の二輪車用車体カバー１を用いることにより、二輪車用車輪カバー１で被覆した状態で自転車１０を移動させることができる。そして、二輪車積降工程が終了した後に、Ｓ７において、所定の場所に自転車１０を移動させ、自転車１０から二輪車用車体カバー１を取り離す（カバー取外工程）。なお、本実施形態では、気体排出工程が終了した後に二輪車積降工程を実施しているが、これに限らず、気体排出工程を実施しながら二輪車積降工程を実施してもよい。
【００３６】
このように、上記の二輪車積込工程や二輪車積降工程において、自転車１０を移動させるときでも、本実施形態の二輪車用車体カバー１は、自転車１０のサドル１１を外部に出すためのサドル窓５が形成されているので、サドル窓５から出たサドル１１を持って、自転車１０を移動させることができ、自転車１０の移動を容易にすることができる。
【００３７】
なお、今回開示された実施の形態はすべての点で例示であって制限的なものではないと考えられるべきである。さらに本考案の範囲は、上記した説明ではなく特許請求の範囲の記載によって示され、特許請求の範囲と均等の意味及び範囲内でのすべての変更が含まれることが意図される。
【００３８】
以下、本実施形態の変形例について、説明する。
【００３９】
（１）本実施形態では、図７に示すように、左側面袋シート３ａおよび右側面袋シート４ａの双方の気体注入袋６に空気を注入しているが、これに限らず、隣合う自転車１０間の左側面袋シート３ａおよび右側面袋シート４ａの一方の気体注入袋６に空気を注入するようにしてもよい。このように、左側面袋シート３ａおよび右側面袋シート４ａの一方の気体注入袋６に空気を注入するようにしても、本実施形態で説明した効果を奏するとともに、空気の注入時間の短縮にもなる。
【符号の説明】
【００４０】
１    二輪車用車体カバー
２    上面シート
３    左側面シート
４    右側面シート
５    サドル窓
６    気体注入袋
７    注入口
１０  自転車
１１  サドル
１２  車輪
１３  ハンドル
１４  かご
１５  回転軸
１６  荷台
【図１】
0003189422.tif 000003
【図２】
0003189422.tif 000004
【図３】
0003189422.tif 000005
【図４】
0003189422.tif 000006
【図５】
0003189422.tif 000007
【図６】
0003189422.tif 000008
【図７】
0003189422.tif 000009
【図８】
0003189422.tif 000010
【図９】
0003189422.tif 000011
【図１０】
0003189422.tif 000012